(57)【特許請求の範囲】
【請求項１】
前面扉に形成された展示室内に、複数のサンプル商品を展示するとともに、当該サンプル商品毎に設けられ、金額等の表示ラベルを保持する保持部材を備えた自動販売機の展示装置において、
前記保持部材は、前記サンプル商品を保持するサンプルホルダーと一体に形成されるとともに、透明な前面板と、当該前面板の背面に形成され前記表示ラベルを保持する保持部と、前記表示ラベルを前記保持部に挿入するラベル挿入孔とを備え、
前記サンプルホルダーは、前記サンプル商品を載置する底板と、前記底板の前方から上方に延出し前記サンプル商品の前部を展示保持可能に構成した前壁片とを備えたものであって、
前記保持部材を前記前壁片より前方に位置するように前記底板の前端から下方に延出形成し、前記ラベル挿入孔を前記保持部材の上面であって前記前壁片と前記前面板との間に設け、当該保持部材の背後に前記表示ラベルの着脱操作が可能な操作空間を設けたことを特徴とする自動販売機の展示装置。
【発明の詳細な説明】
【０００１】
【発明の属する技術分野】
本発明は、前面扉に形成された展示室内に、複数のサンプル商品を展示するとともに、金額等の表示ラベルを保持する保持部材を備えた自動販売機の展示装置に関する。
【０００２】
【従来の技術】
従来の自動販売機の展示装置の例を図４に示す。１００は展示装置であり、サンプル商品１０４を保持するサンプルホルダー１０１と、サンプルホルダー１０１の下部前面に取り付けられた透明のラベル保持部材１０２とを備え、金額等を印刷した表示ラベル１０３は、ラベル保持部材１０２とサンプルホルダー１０１との隙間に図示矢印のごとく挿入し挟み込んで取り付けるように構成されている。
【０００３】
【発明が解決しようとする課題】
しかしながら、こうした構成の展示装置では、表示ラベル１０３を交換する際には表示ラベル１０３に対応するサンプル商品を１０４を取り外さなければならず、近年の自動販売機のように商品種類が多く表示ラベルの数が多いものにおいては、その交換作業が非常に面倒なものとなっていた。
【０００４】
本発明は、こうした課題を解決するためになされたものであり、表示ラベルの交換作業を容易にした自動販売機の展示装置を提供することを目的とする。
【０００５】
【課題を解決するための手段】
本発明に係る自動販売機の展示装置は、前面扉に形成された展示室内に、複数のサンプル商品を展示するとともに、当該サンプル商品毎に設けられ、金額等の表示ラベルを保持する保持部材を備えた自動販売機の展示装置において、前記保持部材は、前記サンプル商品を保持するサンプルホルダーと一体に形成されるとともに、透明な前面板と、当該前面板の背面に形成され前記表示ラベルを保持する保持部と、前記表示ラベルを前記保持部に挿入するラベル挿入孔とを備え、前記サンプルホルダーは、前記サンプル商品を載置する底板と、前記底板の前方から上方に延出し前記サンプル商品の前部を展示保持可能に構成した前壁片とを備えたものであって、前記保持部材を前記前壁片より前方に位置するように前記底板の前端から下方に延出形成し、前記ラベル挿入孔を前記保持部材の上面であって前記前壁片と前記前面板との間に設け、当該保持部材の背後に前記表示ラベルの着脱操作が可能な操作空間を設けたことを特徴とするものである。
【０００６】
この構成によれば、表示ラベルは保持部材の背後側の保持部に取り付けられ、さらに保持部材の背後に操作空間が設けられているため、サンプル商品を取り外す等の作業を伴うことなく、表示ラベルを交換することができる。
【００１０】
さらにこの構成によれば、保持部材をサンプルホルダーと一体に形成することにより保持部材の部品費を削減できるとともに、表示ラベルは保持部材の上面に形成されたラベル挿入孔を介して着脱できるので、操作空間は少なくとも指が入るくらいの隙間であればよく、操作空間を小さくすることができる。
【００１１】
【発明の実施の形態】
以下、図面を参照しながら、本発明の実施形態を詳細に説明する。図１は、本発明の展示装置を備えた自動販売機を示したものである。この自動販売機１は機内を開閉する前面扉２を備え、この前面扉２には、透明パネル４の背後に後述する展示装置５等を収納して展示する展示室３と、購入商品を選択するための選択ボタン６と、商品を購入する際に金銭を投入する金銭投入口７と、金銭返却口８と、販売された商品を取り出すための商品取出口９等が設けられている。
【００１２】
展示装置５は、図２に示すように、展示室３の背扉１０に取り付けられたサポート板５５と、サポート板５５と背扉１０の間に取り付けられた照明用の蛍光灯５６と、サポート板５５の前面に取り付けられたサンプルホルダー５１と、サンプルホルダー５１の底板５１ｃの前端から下方に延出形成されたラベル保持部材５２と、サンプルホルダー５５に保持されたサンプル商品５４と、サンプル商品５４に対応する金額等を印刷した表示ラベル５３とを備えているものである。展示室３の背扉１０は図示しないヒンジによって前面扉２に取り付けられており、後方に回動することによって展示室３の背面を開放できるように構成されている。
【００１３】
図３に示すように、サンプルホルダー５１は、透明樹脂で一体に形成され、底板５１ｃの前方から上方に延出して形成された前壁片５１ｂと、背板５２ｄの一側端より前方に延出して形成された側壁片５１ａとを有してなり、サポート板５５に複数並設される。
【００１４】
サンプル商品５４は透光性を有する樹脂部材にて、例えば、たばこ等の販売商品と類似形状に立体的に形成されるとともに、表面に販売商品を模した印刷やラベル等が施されたものであり、サンプルホルダー５１の前壁片５１ｂと背板５２ｄとの間に挿入されて展示保持される。そして、図３に示すようにサンプルホルダー５１は横方向に複数並設されているので、隣合うサンプルホルダー５１の側壁片５１ａによって、サンプル商品５４の両側面が保持されるようになっている。
【００１５】
こうした透光性を有するサンプルホルダー５１及びサンプル商品５４に対して、サポート板５５の前面には角穴５５が開口形成されているため、背後に設けられた蛍光灯５６によってサンプル商品５４が後方から照明される。
【００１６】
ラベル保持部材５２は、図３、図４に示すようにサンプルホルダー５１と一体に透明樹脂部材にて形成されたものであって、サンプル商品５４の前面を支持する前壁片５１ｂよりも若干前方位置に形成されている。前面板５２の背面には表示ラベル５３の両端を保持する保持部５２ｂ、５２ｂが形成されるとともに、ラベル保持部材５２の上面であって前壁片５１ｂと前面板５２との間にはラベル挿入孔５２ｃが開口されており、このラベル挿入孔５２ｃは、前面板５２の背面の保持部５２ｂ、５２ｂに連通するように形成され、表示ラベル５３をこのラベル挿入孔５２ｃを介して表示ラベル５３を保持部５２ｂ、５２ｂに挿入することができるようになっている。
【００１７】
このラベル保持部材５２はサンプルホルダー５１の底板５１ｃの前端から下方に延出形成されているので、ラベル保持部材５２の背後には少なくともサンプル商品５４の厚み以上の空間５６が形成される。
【００１８】
また、図２に示すようにラベル保持部材５２はサンプルホルダーの底板５１ｃの前端から下方に延出形成されているので、蛍光灯５の下方への光を遮ることなく、下段の展示装置５に展示されるサンプル商品の上方からの照明を阻害することがない。
【００１９】
このように構成された展示装置５において、表示ラベルを交換する場合、まず、前面扉２の背扉１０を開いて展示装置５を展示室３内より後方へ露出させる。そして、ラベル保持部材５２の背後の空間５６に指を挿入し、図４の矢印のごとく両端が保持部５２ｂ、５２ｂに保持された表示ラベル５３を上方に押し上げることによって、表示ラベル５３をラベル挿入孔５２ｃを介してラベル保持部材５２の上方から取り外す。その後、交換すべき新たな表示ラベル５３を図３の矢印のごとくラベル挿入孔５２ｃより挿入することで新たな表示ラベル５３が保持部５２ｂ、５２ｂに保持されて交換が完了する。
【００２０】
このように、表示ラベル５３を交換する際、従来のようにサンプル商品を取り外す必要がなく、表示ラベル５３の交換をきわめて容易に行うことができる。
【００２１】
また、ラベル保持部材５２はサンプルホルダー５１と樹脂部材で一体成形されているものであるので、部品費を削減することができる。
【００２２】
なお、本実施の形態では表示ラベル５３の交換をラベル挿入孔５２ｃを介して行う例を示したが、ラベル保持部材５２の後方の空間５６を十分に設ければ、表示ラベル５３を撓ませることによってラベル保持部材５２の後方で着脱することも可能である。この場合は、ラベル挿入孔５２ｃを特に設けなくても良い。
【００２３】
また、表示ラベル５３が金額表示ラベルである例を示したが、この表示ラベルが商品ＰＲ表示やＨＯＴ／ＣＯＬＤ表示等、他の表示ラベルであっても良い。
【００２４】
また、サンプル商品５４は図示したような箱形のものに限らず、カップ形状のものや円筒形状のものでも良い。
【００２５】
【発明の効果】
以上詳述したように、本発明の自動販売機の展示装置は、表示ラベルは保持部材の背後側の保持部に取り付けられ、さらに保持部材の背後に操作空間が設けられているため、サンプル商品を取り外す等の作業を伴うことなく、表示ラベルを交換することができる。
【００２６】
また、表示ラベルの交換操作を行うための操作空間をサンプル商品の厚み分以上確保できるとともに、表示ラベルをサンプル商品の近くに配置することができる。
【００２７】
また、、保持部材をサンプルホルダーと一体に形成することにより保持部材の部品費を削減できるとともに、表示ラベルは保持部材の上面に形成されたラベル挿入孔を介して着脱できるので、操作空間は少なくとも指が入るくらいの隙間であればよく、操作空間を小さくすることができる。
【図面の簡単な説明】
【図１】本発明の展示装置を備えた自動販売機の正面図である。
【図２】展示室の側面断面図である。
【図３】展示装置を前側から見た斜視図である。
【図４】サンプル商品を保持した状態のサンプルホルダーを後側から見た斜視図である。
【図５】従来の展示装置を前側から見た斜視図である。
【符号の説明】
１      自動販売機
２      前面扉
３      展示室
５      展示装置
５１    サンプルホルダー
５２    ラベル保持部材
５２ａ  前面板
５２ｂ  保持部
５２ｃ  ラベル挿入孔
５３    表示ラベル
５４    サンプル商品
５６    空間（操作空間）
【図１】
0003695203.tif 000002
【図２】
0003695203.tif 000003
【図３】
0003695203.tif 000004
【図４】
0003695203.tif 000005
【図５】
0003695203.tif 000006